(57)【要約】【課題】信号伝送特性をより高めることができるコネクタを提供する。【解決手段】ハウジング１１に複数収容される伝送路構成体３を、信号コンタクト６と信号コンタクト６を保持するインシュレータ部材７とを有する信号コンタクトモールドイン部品５と、１枚の金属板からなり、信号コンタクトモールドイン部品５を包囲するとともにハウジング１１に保持されるグランドコンタクト９とで構成した。【選択図】　　　　図３
2004119035.tif 000002
【特許請求の範囲】
【請求項１】
複数の伝送路構成体と、
この複数の伝送路構成体を収容するハウジングとを備え、
前記伝送路構成体は、
信号コンタクトとこの信号コンタクトを保持するインシュレータ部材とからなる信号コンタクトモールドイン部品と、
前記信号コンタクトモールドイン部品を包囲するとともに前記ハウジングに保持されるグランドコンタクトとを有し、
前記グランドコンタクトは１枚の金属板からなる
ことを特徴とするコネクタ。
【請求項２】
前記信号コンタクトは、前記信号コンタクトモールドイン部品のモールドイン成形時に金型或いは治具によって押さえられる幅広部を有していることを特徴とする請求項１記載のコネクタ。
【請求項３】
前記インシュレータ部材にコネクタ嵌合離脱方向と直交する方向で前記グランドコンタクトに圧接する突起が形成されていることを特徴とする請求項１又は２記載のコネクタ。
【請求項４】
前記グランドコンタクトが、前記信号コンタクトモールドイン部品を収容する筒状部と、この筒状部の一端部から延び、前記ハウジングに圧入される圧入部とを有することを特徴とする請求項１〜３のいずれか１項記載のコネクタ。
【請求項５】
前記ハウジングが、前記筒状部を収容する収容部と、前記圧入部を保持する保持部とを有し、前記収容部に前記筒状部を位置決めする突起が形成されていることを特徴とする請求項４記載のコネクタ。
【発明の詳細な説明】
【０００１】
【発明の属する技術分野】
この発明は高速信号を伝送するのに適した多芯のコネクタに関する。
【０００２】
【従来の技術】
【０００３】
【特許文献】
特開２０００−２１７０５２号
【０００４】
従来の多芯の高速信号伝送用のコネクタとしては特開２０００−２１７０５２号公報に開示されたものがある。
【０００５】
このコネクタは複数のユニットインシュレータとグランドプレートとを有する。ユニットインシュレータはモールドイン成形により作製される。ユニットインシュレータには複数の信号コンタクトが保持される。信号コンタクト間にはスリットが形成されている。このユニットインシュレータの外壁面及びスリットの内壁面にはプラスチックめっきが施されている。グランドプレートはプラスチックめっきを施したユニットインシュレータの間に挟まれている。このグランドプレートを介してユニットインシュレータのプラスチックめっきを相手側コネクタのグランドプレートに導通させることによって高速信号を流したときのライン間のクロストークを防止する。
【０００６】
【発明が解決しようとする課題】
このように、従来のコネクタでは、信号コンタクトをシールドする部材がプラスチックめっきとグランドプレートとの２つの部材からなり、しかもプラスチックめっきとグランドプレートとは単に接触しているだけである。
【０００７】
したがって、プラスチックめっきとグランドプレートとの間でグランド電位に差が生じることがある。このように電位差が生じると、基準電位としてグランドの効きが弱くなり、クロストークやインピーダンス不整合が発生し、信号伝送特性が低下することがあった。
【０００８】
この発明はこのような事情に鑑みてなされたもので、その課題はより信号伝送特性をより高めることができるコネクタを提供することである。
【０００９】
【課題を解決するための手段】
前述の課題を解決するため請求項１の発明のコネクタは、複数の伝送路構成体と、この複数の伝送路構成体を収容するハウジングとを備え、前記伝送路構成体は、信号コンタクトとこの信号コンタクトを保持するインシュレータ部材とからなる信号コンタクトモールドイン部品と、前記信号コンタクトモールドイン部品を包囲するとともに前記ハウジングに保持されるグランドコンタクトとを有し、前記グランドコンタクトは１枚の金属板からなることを特徴とする。
【００１０】
上述のようにグランドコンタクトは１枚の金属板からなるので、電位の異なる部分を有しておらず、グランドとしての機能に優れる。
【００１１】
請求項２の発明は、請求項１記載のコネクタにおいて、前記信号コンタクトは、前記信号コンタクトモールドイン部品のモールドイン成形時に金型或いは治具によって押さえられる幅広部を有していることを特徴とする。
【００１２】
上述のように信号コンタクトは信号コンタクトモールドイン部品のモールドイン成形時に金型或いは治具によって押さえられる幅広部を有しているので、この幅広部の面積を調整することにより、幅広部を押さえる金型の一部分或いは治具によってインシュレータ部材にできた穴の部分の誘電率を調整できる。
【００１３】
請求項３の発明は、請求項１又は２記載のコネクタにおいて、前記インシュレータ部材にコネクタ嵌合離脱方向と直交する方向で前記グランドコンタクトに圧接する突起が形成されていることを特徴とする。
【００１４】
上述のようにインシュレータ部材にコネクタ嵌合離脱方向と直交する方向でグランドコンタクトに圧接する（圧迫、保持させるための）突起が形成されているが、この突起はグランドコンタクトにインシュレータ部材に圧接する突起を形成するよりも簡単に形成することができる。
【００１５】
請求項４の発明は、請求項１〜３のいずれか１項記載のコネクタにおいて、前記グランドコンタクトが、前記信号コンタクトモールドイン部品を収容する筒状部と、この筒状部の一端部から延び、前記ハウジングに圧入される圧入部とを有することを特徴とする。
【００１６】
上述のようにグランドコンタクトが、信号コンタクトモールドイン部品を収容する筒状部と、この筒状部の一端部から延びハウジングに圧入される圧入部とを有しているので、筒状部をハウジングに固定するための突起を筒状部に形成する必要がない。
【００１７】
請求項５の発明は、請求項４記載のコネクタにおいて、前記ハウジングが、前記筒状部を収容する収容部と、前記圧入部を保持する保持部とを有し、前記収容部に前記筒状部を位置決めする突起が形成されていることを特徴とする。
【００１８】
上述のようにハウジングが、筒状部を収容する収容部と、圧入部を保持する保持部とを有し、収容部に筒状部を位置決めする突起が形成されているので、筒状部の位置決めは収容部に形成された突起により行われ、筒状部の固定は圧入部を保持部に圧入することにより行われる。
【００１９】
【発明の実施の形態】
図１〜１７はこの発明の一実施形態に係るコネクタを示し、図１（ａ）は正面図、同図（ｂ）は平面図、同図（ｃ）は背面図、同図（ｄ）は側面図、図２は図１のＩＩ−ＩＩ　線に沿う断面図、図３は図１のＩＩＩ−ＩＩＩ　線に沿う断面図、図４は図１のＡ部の拡大図、図５は図１のＢ部の一部を切欠いた拡大図、図６は図１のＣ部の拡大図、図７は図２のＤ部の拡大図、図８は図１のコネクタの信号コンタクトモールドイン部品を示し、同図（ａ）は正面図、同図（ｂ）は平面図、同図（ｃ）は底面図、同図（ｄ）は左側面図、同図（ｅ）は右側面図、図９は図８のＩＸ−ＩＸ　線に沿う断面図、図１０は図９のＸ−Ｘ　線に沿う断面図、図１１は図１のコネクタのグランドコンタクトを示し、同図（ａ）は正面図、同図（ｂ）は平面図、同図（ｃ）は底面図、同図（ｄ）は側面図、同図（ｅ）は背面図、図１２は図１１のＸＩＩ−ＸＩＩ　線に沿う断面図、図１３は図１のＩＩＩ−ＩＩＩ　線に沿うハウジングの断面図、図１４は図１のＡ部に対応するハウジングの拡大図、図１５は図１のＢ部に対応するハウジングの拡大図、図１６は図１のＣ部に対応するハウジングの拡大図、図１７は図２のＤ部に対応するハウジングの拡大図である。
【００２０】
このコネクタはプリント基板（図示せず）に表面実装されるソケット型のコネクタであり、図１，２に示すように複数の伝送路構成体３とハウジング１１とを有する。
【００２１】
伝送路構成体３は図３に示すように信号コンタクトモールドイン部品５とグランドコンタクト９とからなる。
【００２２】
図８〜１０に示すように信号コンタクトモールドイン部品５は２本の信号コンタクト６（２本の信号コンタクト６で一つの信号線路が構成される）とインシュレータ部材７とからなり、モールドイン成形により形成される。
【００２３】
信号コンタクト６はほぼ短冊状であり、例えば打抜きやエッチング等により形成される。信号コンタクト６は誘い部６１と接触部６２と固定部６３と端子部６４とを有する（図９参照）。誘い部６１は信号コンタクト６の先端部に形成され、相手側コネクタ（プラグコネクタ（図示せず））のコンタクトをコネクタの嵌合離脱方向ａに沿って接触部６２へ誘うように折り曲げられている。接触部６２は後述する裏打部７１の一面に露出し、相手側コネクタのコンタクトに接触する。固定部６３はインシュレータ部材７に埋め込まれ、固定されている。固定部６３は幅広部６３ａを有する（図１０参照）。幅広部６３ａは信号コンタクトモールドイン部品５のモールドイン成形時に信号コンタクト６が撓まないように金型（図示せず）の一部分或いは金型内に配置された治具（図示せず）によって押さえられる部分である。端子部６４は後述する切欠き７２ｂから突出し、Ｌ字形に折り曲げられている。端子部６４はプリント基板（図示せず）の信号パターンに半田付けされる。
【００２４】
インシュレータ部材７は裏打部７１とコンタクト保持部７２と突起７３とを有する。裏打部７１はほぼ板状であり、コンタクト保持部７２よりも薄く、コンタクト保持部７２の一端部に連結されている。裏打部７１は接触部６２を裏打ちしている。裏打部７１の先端部には溝７１ａが形成されている。コンタクト保持部７２はほぼ直方体状であり、固定部６３を保持している。コンタクト保持部７２は穴７２ａを有している。この穴７２ａは前述のようにモールドイン成形時に幅広部６３ａを押さえる金型の一部分或いは治具によって生じる穴である。コンタクト保持部７２の他端部には切欠き７２ｂが形成されている。突起７３はコンタクト保持部７２の両側面に形成されている。突起７３はコネクタの長さ方向ｂ（嵌合離脱方向ａに直交する方向（図１参照））で後述する筒状部９１に圧接する。すなわち、突起７３はコネクタの長さ方向ｂへ圧力が掛かった状態で筒状部９１に密着する。
【００２５】
図１１に示すようにグランドコンタクト９は１枚の金属板から形成され、筒状部９１と２つの端子部９２と第１圧入部９３と第２圧入部９４とを有する。筒状部９１は角筒状であり、絞り加工により形成される。筒状部９１は図３，７に示すように信号コンタクトモールドイン部品５を包囲するとともにハウジング１１に保持されている。筒状部９１の内周面９１ａと裏打部７１との間には、空間９５が形成されている（図３参照）。空間９５には相手側コネクタのプラグ部分が挿入される。図１２に示すように筒状部９１の一端部には筒状部９１の内側へ突出する突起９１ｂがシャー加工により形成されている。突起９１ｂはコネクタの高さ方向ｃでコンタクト保持部７２に圧接する（図３参照）。２つの端子部９２は互いに対向するように筒状部９１の一端部に連結されている。端子部９２の両側には切込９５が入れられている。端子部９２はプリント基板のグランドパターンに接続される。第１圧入部９３はほぼＬ字形であり、筒状部９１の一端部に連結されている。第１圧入部９３には突起９３ａが形成されている。第２圧入部９４はほぼＬ字形であり、第１圧入部９３よりも幅が狭く、筒状部９１の一端部に第１圧入部９３と対向するように連結されている。第２圧入部９４には突起９４ａが形成されている。
【００２６】
ハウジング１１は絶縁材料からなり、一面が開放された筐体状である。図１３，１４，１６，１７に示すようにハウジング１１は収容孔（収容部）１１１と圧入孔（保持部）１１２と圧入凹部（保持部）１１３と受容部１１４とを有する。ハウジング１１の長さ方向ｂの両端部には図１５に示すように脚部１１５が形成されている。収容孔１１１はハウジング１１に複数個形成されている。これらの収容孔１１１はコネクタの長さ方向ｂに沿って並べられている。収容孔１１１は伝送路構成体３の一端部を収容する。収容孔１１１内には突起１１１ａが形成されている。突起１１１ａは収容孔１１１内の伝送路構成体３に軽く接触し、伝送路構成体３の位置決めをする（図４参照）。圧入孔１１２は高さ方向ｃで隣接する２つの収容孔１１１の間に形成されている。圧入孔１１２には図４，６に示すように２つの伝送路構成体３の第１圧入部９３が纏めて圧入されている。圧入孔１１２に圧入された２つの第１圧入部９３は互いに導通している。圧入凹部１１３には図５に示すように第２圧入部９４が圧入される。受容部１１４は相手側コネクタを受け容れる。
【００２７】
次にこのコネクタの製造方法について説明する。
【００２８】
まず、予め、信号コンタクトモールドイン部品５を作る。信号コンタクトモールドイン部品５は前述のようにモールドイン成形により作られるが、モールドイン成形時、信号コンタクト６の誘い部６１及び端子部６４はそれぞれキャリア（図示せず）に繋がれ、まだ折り曲げられていない。この状態で信号コンタクト６はモールドインされる。モールドイン成形後、誘い部６１及び端子部６４からキャリアが切り離される。誘い部６１を正確に折り曲げるために溝７１ａに治具（図示せず）を挿入して誘い部６１を折り曲げる。同様に治具を用いて端子部６４を折り曲げる。以上により、信号コンタクトモールドイン部品５が完成する。
【００２９】
次に、グランドコンタクト９の筒状部９１内に信号コンタクトモールドイン部品５を挿入して伝送路構成体３を作る。筒状部９１内に信号コンタクトモールドイン部品５が挿入されると、突起７３が筒状部９１の内周面９１ａに圧接し、更に突起９１ｂがコンタクト保持部７２を圧迫し、保持するので、信号コンタクトモールドイン部品５はグランドコンタクト９から容易に抜けなくなる。
【００３０】
その後、第１圧入部９３を圧入孔１１２へ、第２圧入部９４を圧入凹部１１３へそれぞれ圧入することにより、複数の伝送路構成体３をハウジング１１に固定する。以上の工程によりコネクタが完成する。
【００３１】
次に、この実施形態のコネクタの効果について説明する。
【００３２】
このコネクタによれば、１枚の金属板からなるグランドコンタクト９によって全ての信号コンタクト６がほぼ完全に包囲されるので、クロストークを大幅に低減でき、また、インピーダンス整合を容易に行うことができる。
【００３３】
このコネクタによれば、第１及び第２圧入部９３，９４をそれぞれ圧入孔１１２、圧入凹部１１３に圧入するだけで伝送路構成体３がハウジング１１に固定され、筒状部９１をハウジング１１に圧入する必要がないので、伝送路構成体３をハウジング１１に簡単に組み込むことができる。
【００３４】
また、ハウジング１１に組み込まれる伝送路構成体３の位置決めを突起１１１ａによって正確に行うことができる。
【００３５】
このコネクタによれば、モールドイン成形により信号コンタクト６がインシュレータ部材７に確実に保持されているので、インピーダンス整合のために信号コンタクト６の厚さが薄くなっても信号コンタクト６の強度が保たれ、インピーダンスの管理もし易い。
【００３６】
このコネクタによれば、モールドイン成形時にインシュレータ部材７に穴７２ａが開くことによって誘電率の低い部分が信号コンタクトモールドイン部品５にできても、信号コンタクト６の幅広部６３ａの幅を調整することにより容易に対処することができる。
【００３７】
このコネクタによれば、インシュレータ部材７に突起７３が形成されているので、筒状部９１にインシュレータ部材７を固定するための突起等を形成する必要がなく、筒状部９１の加工を簡素にすることができる。
【００３８】
絞り加工によれば、筒状のものを正確に形成することができる。しかし、絞り加工によって筒状部９１を形成した場合、外側へ突出する突起を筒状部９１の側面に形成することが困難であり、そのままでは筒状部９１はハウジング１１から容易に脱落してしまう。この実施形態では、筒状部９１の一端部に第１及び第２圧入部９３，９４を形成したので、筒状部９１の側面の外側へ突出する突起を設ける必要がなく、上述のように第１及び第２圧入部９３，９４をそれぞれ圧入孔１１２、圧入凹部１１３に圧入すれば、筒状部９１を確実に固定することができる。
【００３９】
なお、このコネクタはソケット型のコネクタであるが、この発明をプラグ型（雄型）のコネクタにも適用することもできる。
【００４０】
また、このコネクタはプリント基板に表面実装されるタイプのコネクタであるが、この発明はこれに限定されず、コネクタ一般に適用することができる。
【００４１】
【発明の効果】
以上説明したように請求項１の発明のコネクタによれば、グランドコンタクトは電位の異なる部分を有しておらず、グランドとしての機能に優れるので、信号伝送特性を高めることができる。
【００４２】
請求項２の発明のコネクタによれば、コンタクトの幅広部の面積を調整することにより、幅広部を押さえる金型の一部分或いは治具によってインシュレータ部材にできた穴の部分の誘電率を調整できるので、この穴によって生じる穴周辺部との誘電率の違いに対処することができる。
【００４３】
請求項３の発明のコネクタによれば、インシュレータ部材の突起はグランドコンタクトにインシュレータ部材に圧接する突起を形成するよりも簡単に形成することができるので、インシュレータ部材とグランドコンタクトとの係止構造を簡単に設けることができる。
【００４４】
請求項４の発明のコネクタによれば、グランドコンタクトをハウジングに固定するための外側に突き出る突起を筒状部に形成する必要がないので、筒状部を絞り加工によって形成することができる。
【００４５】
請求項５の発明のコネクタによれば、筒状部の位置決めは収容部に形成された突起により行われ、筒状部の固定は圧入部を保持部に圧入することにより行われるので、グランドコンタクトを正確かつ簡単にハウジングに固定することができる。
【図面の簡単な説明】
【図１】図１（ａ）は正面図、同図（ｂ）は平面図、同図（ｃ）は背面図、同図（ｄ）は側面図である。
【図２】図２は図１のＩＩ−ＩＩ　線に沿う断面図である。
【図３】図３は図１のＩＩＩ−ＩＩＩ　線に沿う断面図である。
【図４】図４は図１のＡ部の拡大図である。
【図５】図５は図１のＢ部の一部を切欠いた拡大図である。
【図６】図６は図１のＣ部の拡大図である。
【図７】図７は図２のＤ部の拡大図である。
【図８】図８は図１のコネクタの信号コンタクトモールドイン部品を示し、同図（ａ）は正面図、同図（ｂ）は平面図、同図（ｃ）は底面図、同図（ｄ）は左側面図、同図（ｅ）は右側面図である。
【図９】図９は図８のＩＸ−ＩＸ　線に沿う断面図である。
【図１０】図１０は図９のＸ−Ｘ　線に沿う断面図である。
【図１１】図１１は図１のコネクタのグランドコンタクトを示し、同図（ａ）は正面図、同図（ｂ）は平面図、同図（ｃ）は底面図、同図（ｄ）は側面図、同図（ｅ）は背面図である。
【図１２】図１２は図１１のＸＩＩ−ＸＩＩ　線に沿う断面図である。
【図１３】図１３は図１のＩＩＩ−ＩＩＩ　線に沿うハウジングの断面図である。
【図１４】図１４は図１のＡ部に対応するハウジングの拡大図である。
【図１５】図１５は図１のＢ部に対応するハウジングの拡大図である。
【図１６】図１６は図１のＣ部に対応するハウジングの拡大図である。
【図１７】図１７は図２のＤ部に対応するハウジングの拡大図である。
【符号の説明】
３　伝送路構成体
５　信号コンタクトモールドイン部品
６　信号コンタクト
６３ａ　幅広部
７　インシュレータ部材
７３　突起
９　グランドコンタクト
９１　筒状部
９３　第１圧入部
９４　第２圧入部
１１　ハウジング
１１１　収容孔（収容部）
１１１ａ　突起
１１２　保持孔（保持部）
１１３　保持凹部（保持部）
【図１】
2004119035.tif 000003
【図２】
2004119035.tif 000004
【図３】
2004119035.tif 000005
【図４】
2004119035.tif 000006
【図５】
2004119035.tif 000007
【図６】
2004119035.tif 000008
【図７】
2004119035.tif 000009
【図８】
2004119035.tif 000010
【図９】
2004119035.tif 000011
【図１０】
2004119035.tif 000012
【図１１】
2004119035.tif 000013
【図１２】
2004119035.tif 000014
【図１３】
2004119035.tif 000015
【図１４】
2004119035.tif 000016
【図１５】
2004119035.tif 000017
【図１６】
2004119035.tif 000018
【図１７】
2004119035.tif 000019